(57)【要約】【課題】  建物の階床数が多くなったとしても、アナンシェータの大型化を抑制することができ、かつ、ホール呼びの状態を運転手が見易くすることのできるエレベータの制御装置を提供する。【解決手段】  かご内で、ホールの呼びが登録されているか否かを報知するためのアナンシェータが、ホール呼びが発生する階床に対応して設けられ、それぞれ表示色を変化させて表示できる所定数の多色表示灯（２０）と、上昇方向のホール呼び、下降方向のホール呼び、同一階床における上昇方向及び下降方向両方のホール呼びが発生した場合に、各々の場合に対応付けて多色表示灯の表示色を変えて点灯させる制御手段（１１，１２，１３，１４）とを備える。【選択図】  図３
2005162389.tif 000002
【特許請求の範囲】
【請求項１】
かご内に、ホールの呼びが登録されているか否かを報知するためのアナンシェータを備えたエレベータの制御装置において、
前記アナンシェータは、
ホール呼びが発生する階床に対応して設けられ、それぞれ表示色を変化させて表示できる所定数の多色表示灯と、
上昇方向のホール呼び、下降方向のホール呼び、同一階床における上昇方向及び下降方向両方のホール呼びが発生した場合に、前記各々の場合に対応付けて前記多色表示灯の表示色を変えて点灯させる制御手段と、
を備えたことを特徴とするエレベータの制御装置。
【請求項２】
かご内に、ホールの呼びが登録されているか否かを報知するためのアナンシェータを備えたエレベータの制御装置において、
前記アナンシェータは、
ホール呼びが発生する階床よりも個数が少なく、上昇方向のホール呼びを表示する所定数の表示灯及び下降方向のホール呼びを表示する所定数の表示灯と、
かごが位置する階床のホール呼びを、前記表示灯の中央部又はほぼ中央部に対応付けて点灯させると共に、前記かごが位置する階床のホール呼び以外の階床のホール呼びを、前記かごが位置する階床のホール呼びが対応付けられた表示灯以外の表示灯の端から順次対応付けて点灯させる制御手段と、
を備えたことを特徴とするエレベータの制御装置。
【請求項３】
かご内に、ホールの呼びが登録されているか否かを報知するためのアナンシェータを備えたエレベータの制御装置において、
前記アナンシェータは、
ホール呼びが発生する階床よりも個数が少なく、それぞれ表示色を変化させて表示できる所定数の多色表示灯と、
かごが位置する階床のホール呼びを、前記多色表示灯の中央部又はほぼ中央部に対応付けて点灯させると共に、前記かごが位置する階床のホール呼び以外の階床のホール呼びを、前記かごが位置する階床のホール呼びが対応付けられた表示灯以外の表示灯の端から順次対応付けて点灯させ、上昇方向のホール呼び、下降方向のホール呼び、同一階床における上昇方向及び下降方向両方のホール呼びが発生した場合に、前記各々の場合に対応付けて前記多色表示灯の表示色を変えて点灯させる制御手段と、
を備えたことを特徴とするエレベータの制御装置。
【請求項４】
かご内に、ホールの呼びが登録されているか否かを報知するためのアナンシェータを備えたエレベータの制御装置において、
前記アナンシェータは、
ホール呼びが発生する階床に対応して設けられた所定数の表示灯と、
かごの運転方向と同一の方向のホール呼びのみに対応付けて前記表示灯を点灯させる制御手段と、
を備えたことを特徴とするエレベータの制御装置。
【発明の詳細な説明】
【技術分野】
【０００１】
本発明はエレベータの制御装置に係り、特に、かごに設けられるアナンシェータの改良に関する。
【背景技術】
【０００２】
運転手付きエレベータにおいては、一般的に、かご内の運転手が、かご内に設けられたアナンシェータと呼ばれるホール呼び登録灯によってそれぞれ登録されているホール呼びを把握し、エレベータの運転方向を切り換えたり、登録されているホール呼びに応答しないで通過させたりすることができるようになっている。
【０００３】
例えば、通常のエレベータにおいては、かご内の乗客が満員（８０％程度）にならない限り、登録されたホール呼びに順次応答しながら、同一方向の全てのホール呼びに応答し終えるまで、運転方向を変えないようになっている。しかし、運転手付きのエレベータにおいては、かご内の乗客が定員に満たない場合でも、かご内操作盤に設けられた「通過スイッチ」を操作することにより、ホール呼びを無視して通過することができる。また、エレベータが停止した際に、かご内操作盤に設けられた「運転切換スイッチ」を操作することにより、エレベータの運転方向の反転も可能になっている。
【０００４】
一般的に、かご内に設けられるアナンシェータは、かご内にいる運転手が登録されているホール呼びを確認することができるように、かご内操作盤又はこのかご内操作盤から離隔した位置に設けられ、それぞれ各階の上昇及び下降の呼びの数だけ表示灯を設け、ホール呼びが登録されるとその呼びに対応する表示灯が点灯するようになっている。以下に、その具体的な構成について説明する。
【０００５】
図１４は５階床の建物を対象としたこの種の従来のエレベータの制御装置のかご内操作盤の外観図である。同図において、表示及び操作を行うためのかご内操作盤１は、縦長で矩形に形成された盤面を有し、その上端部に複数の表示灯からなる上昇方向ホール呼び登録灯２とこれと同数の表示灯からなる下降方向ホール呼び登録灯３とがそれぞれ横一列にして、上下２段に配置されている。これらのホール呼び登録灯の下部に戸閉ボタン４と戸開ボタン５とが横方向に並べて配置されている。また、盤面の中央部には、複数の表示灯が縦方向に１列に並べられたかご呼びボタン６が配置されている。さらに、盤面の下端部に運転切換スイッチ７、通過スイッチ８、上昇方向に切り換えるための方向切換スイッチ９ａ及び下降方向に切り換えるための方向切換スイッチ９ｂが互いに所定の間隔を持たせて４箇所に配置されている。このうち、運転切換スイッチ７は一般に運転手付きの運転に切り換えるためのものであり、通過スイッチ８はホール呼びに応答せずにかごを通過させるためのスイッチである。方向切換スイッチ９ａ，９ｂは運転方向を反転させるものである。
【０００６】
図１５はかご内操作盤１の制御部の構成を示す回路図であり、図中、図１４と同一の符号を付したものはそれぞれ同一の要素を示している。ここで、中央演算装置（ＣＰＵ）１１、記憶装置１２、入力装置１３及び出力装置１４が共通のバスで接続され、周知のマイクロコンピュータを構成している。このうち、入力装置１３の共通の端子に正極電源母線Ｐが接続され、４個の個別の端子にそれぞれ「運転切換」と印字された運転切換スイッチ７、「通過」と印字された通過スイッチ８、「上昇」と印字された方向切換スイッチ９ａ及び「下降」と印字された方向切換スイッチ９ｂの各一端が接続され、これらのスイッチの他端がそれぞれ負極電源母線Ｎに接続されている。また、出力装置１４の共通の端子に負極電源母線Ｎが接続され、一群の個別の端子に上昇方向ホール呼び登録灯２を構成する、例えば、発光ダイオード１Ｕ，２Ｕ，３Ｕ，４Ｕの各カソードが接続され、これらの発光ダイオードの各アノードが正極電源母線Ｐに共通接続されている。また、出力装置１４の他の一群の個別の端子に下降方向ホール呼び登録灯３を構成する、例えば、発光ダイオード２Ｄ，３Ｄ，４Ｄ，５Ｄの各カソードが接続され、これらの発光ダイオードの各アノードが正極電源母線Ｐに共通接続されている。
【０００７】
上記の構成により、運転切換スイッチ７をオン状態にすることによってエレベータは運転手付きの運転モードに切り換えられ、たとえ、ホール呼びが登録されていたとしても通過スイッチ８をオン状態にすればこのホール呼びを無視して通過することができる。また、方向切換スイッチ９ａをオン状態にすることによって上昇運転に切り換えられ、方向切換スイッチ９ｂをオン状態にすることによって下降運転に切り換えられる。一方、ホール呼びが登録されたとき、すなわち、ホール呼び情報が記憶装置１２に記憶されているとき、中央演算装置１１は、図１６（ａ）及び（ｂ）に信号構成を示すように、出力装置１４を構成するホール呼び状態登録テーブルＵＣ及びＤＣへの登録を行う。このうち、ホール呼び状態登録テーブルＵＣは上昇方向のホール呼びを登録するもので、〈０〉ビット目は１階の上昇呼びを、〈１〉ビット目は２階の上昇呼びをそれぞれ示し、これより値の大きいビットが順次にその上の階の上昇呼び信号を示している。同様に、ホール呼び状態登録テーブルＤＣは下降方向のホール呼びを登録するもので、〈１〉ビット目は２階の下降呼び信号を、〈２〉ビット目は３階の下降呼び信号をそれぞれ示し、これより値の大きいビットが順次にその上階の下降呼び信号を示している。
【０００８】
なお、これらのホール呼び状態登録テーブルＵＣ，ＤＣの各ビットは、それぞれの呼びが登録されるとその値が「０」から「１」になり、出力装置１４は値が「１」になったビットに対応する発光ダイオード１Ｕ，２Ｕ，３Ｕ，４Ｕや発光ダイオード２Ｄ，３Ｄ，４Ｄ，５Ｄに電流を流し、これによって上昇方向ホール呼び登録灯２や下降方向ホール呼び登録灯３を点灯させる。
【０００９】
一方、複数台のエレベータを監視する監視盤に配置されているかご位置表示灯において、全エレベータのサービス階、非サービス階の設定状態や、それぞれのかご位置を色分け点灯することが提案されている（例えば、特許文献１参照。）。
【特許文献１】特開平９−２８６５７１１号公報
【発明の開示】
【発明が解決しようとする課題】
【００１０】
上述した従来のエレベータの制御装置におけるかご内操作盤１のアナンシェータには、登録されている呼びをかご内の運転手が確認できるように、各階の上昇及び下降の呼びが発生する数だけ表示灯が設けられる。このため、建物の階床数が多くなると、アナンシェータが大型になり、表示灯の数が多すぎて、運転手が見難くなったり、かご内操作盤１上に設置スペースを確保することが難しくなったりすることがあった。
【００１１】
このような問題点を解消するために、特許文献１に記載のように、上昇方向のホール呼びと下降方向のホール呼びとを色分け表示すれば表示灯の数を減少させることはできると考えられる。しかしながら、特許文献１にはかご内に設けられるアナンシェータに適用することは記載されておらず、また、上昇方向のホール呼びと下降方向のホール呼びが発生したときの対応について何等の記載もされてはいない。
【００１２】
本発明は上記の課題を解決するためになされたもので、その目的は、建物の階床数が多くなったとしても、アナンシェータの大型化を抑制することができ、かつ、ホール呼びの状態を運転手が見易くすることのできるエレベータの制御装置を提供することにある。
【００１３】
本発明の他の目的は、建物の階床数が多くなったとしても、アナンシェータのかご内操作盤への実装を容易化することのできるエレベータの制御装置を提供することにある。
【課題を解決するための手段】
【００１４】
請求項１に係る発明は、かご内で、ホールの呼びが登録されているか否かを報知するためのアナンシェータが、ホール呼びが発生する階床に対応して設けられ、それぞれ表示色を変化させて表示できる所定数の多色表示灯と、上昇方向のホール呼び、下降方向のホール呼び、同一階床における上昇方向及び下降方向両方のホール呼びが発生した場合に、前記各々の場合に対応付けて多色表示灯の表示色を変えて点灯させる制御手段とを備えたものである。
【００１５】
請求項２に係る発明は、かご内で、ホールの呼びが登録されているか否かを報知するためのアナンシェータが、ホール呼びが発生する階床よりも個数が少なく、上昇方向のホール呼びを表示する所定数の表示灯及び下降方向のホール呼びを表示する所定数の表示灯と、かごが位置する階床のホール呼びを、前記表示灯の中央部又はほぼ中央部に対応付けて点灯させると共に、前記かごが位置する階床のホール呼び以外の階床のホール呼びを、前記かごが位置する階床のホール呼びが対応付けられた表示灯以外の表示灯の端から順次他の表示灯に対応付けて点灯させる制御手段とを備えたものである。
【００１６】
請求項３に係る発明は、かご内で、ホールの呼びが登録されているか否かを報知するためのアナンシェータが、ホール呼びが発生する階床よりも少なく、それぞれ表示色を変化させて表示できる所定数の多色表示灯と、かごが位置する階床のホール呼びを、前記多色表示灯の中央部又はほぼ中央部に対応付けて点灯させると共に、前記かごが位置する階床のホール呼び以外の階床のホール呼びを、前記かごが位置する階床のホール呼びが対応付けられた表示灯以外の表示灯の端から順次他の多色表示灯に対応付けて点灯させ、かつ、上昇方向のホール呼び、下降方向のホール呼び、同一階床における上昇方向及び下降方向両方のホール呼びが発生した場合に、前記各々の場合に対応付けて多色表示灯の表示色を変えて点灯させる制御手段とを備えたものである。
【００１７】
請求項４に係る発明は、かご内で、ホールの呼びが登録されているか否かを報知するためのアナンシェータが、ホール呼びが発生する階床に対応して設けられた所定数の表示灯と、かごの運転方向と同一の方向のホール呼びのみに対応付けて表示灯を点灯させる制御手段とを備えたものである。
【発明の効果】
【００１８】
本発明は、上記のように構成したことにより、建物の階床数が多くなったとしても、アナンシェータの大型化を抑制することができ、かつ、ホール呼びの状態を運転手が見易くすることのできるエレベータの制御装置が提供される。
【発明を実施するための最良の形態】
【００１９】
以下、本発明を図面に示す好適な実施例に基づいて詳細に説明する。
【実施例１】
【００２０】
図１は本発明に係るエレベータの制御装置の実施例１を構成するかご内操作盤の外観図である。図中、図１４に示した従来装置のかご内操作盤１と同一の要素には同一の符号を付してその説明を省略する。図１に示したかご内操作盤１Ａは、図１４に示した上昇方向ホール呼び登録灯２及び下降方向ホール呼び登録灯３を構成する表示灯１０の代わりに、多色表示灯２０を横一列に配置して上昇方向のホール呼び、下降方向のホール呼び、上昇及び下降の両方向のホール呼びを１つの表示灯で表示するホール呼び登録灯２Ａを備えたもので、これ以外は図１４と全く同様に構成されている。
【００２１】
ここで、ホール呼び登録灯２Ａは階床数に等しい個数の多色表示灯２０で構成されている。図２は多色表示灯２０の構成及びその制御系統を示す回路図であり、例えば、緑色に点灯する発光ダイオード２１と黄色に点灯する発光ダイオード２２とが半透明の管球２３に一緒にして収納されており、管球２３は３つの端子２４，２５，２６を備えている。そして、管球２３の内部で発光ダイオード２１のカソードが端子２４に、発光ダイオード２２のカソードが端子２５にそれぞれ接続され、発光ダイオード２１及び２２の各アノードが端子２６に共通接続されている。また、管球２３の外部では、端子２４が接点Ａを介して負極電源母線Ｎに接続され、端子２５が接点Ｂを介して負極電源母線Ｎに接続され、もう一つの端子２６は正極電源母線Ｐに接続されている。なお、接点Ａ及びＢはトランジスタでなる電子スイッチでなり、前述した出力装置１４に組み込まれるものである。
【００２２】
この多色表示灯２０は、接点Ａをオン状態にすると発光ダイオード２１が発光して緑色に点灯する。また、接点Ｂをオン状態にすると発光ダイオード２２が発光して黄色に点灯する。さらに、接点Ａ及びＢの両方をオン状態にすると発光ダイオード２１及び２２の両方が発光して橙色に点灯する。
【００２３】
図３（ａ）（ｂ）はかご内操作盤１Ａの制御部の構成を示す回路図であり、図中、従来の制御部を示す図１５と同一の符号を付したものはそれぞれ同一の要素を示している。ここで、中央演算装置１１、記憶装置１２、入力装置１３及び出力装置１４は、前述したと同様に、共通のバスで接続されて周知のマイクロコンピュータを構成している。また、入力装置１３に正極電源母線Ｐや、運転切換スイッチ７、通過スイッチ８、方向切換スイッチ９ａ及び９ｂ、並びに負極電源母線Ｎが、前述したと全く同様にして接続されている。
【００２４】
この実施例は５階床の建物に設置されたエレベータを対象としており、かご内操作盤１Ａに実装されるホール呼び登録灯２Ａには、図２に示した多色表示灯２０が５個並設されている。出力装置１４の４個の端子、すなわち、１階から４階までの各上昇方向ホール呼び登録信号を出力する端子１ＵＴ，２ＵＴ，３ＵＴ及び４ＵＴが１階から４階に対応して設けられた多色表示灯２０の端子２４に接続され、出力装置１４の他の４個の端子、すなわち、２階から５階までの下降方向ホール呼び登録信号を出力する端子２ＤＴ，３ＤＴ，４ＤＴ及び５ＤＴが２階から５階に対応して設けられた多色表示灯２０の端子２５に接続された点が従来装置と構成を異にし、これ以外は従来装置と同一に構成されている。
【００２５】
上記のように構成された本実施例の動作について、特に、従来装置と構成を異にする部分について、図４をも参照して以下に説明する。中央演算装置１１は記憶装置１２に記憶されたデータに基づいて、図４（ａ）及び（ｂ）に信号構成を示すように、出力装置１４に設けられるホール呼び状態登録テーブルＵＣ及びホール呼び状態登録テーブルＤＣにホール呼び状態を登録する。このうち、ホール呼び状態登録テーブルＵＣは上昇方向のホール呼び信号で、〈０〉ビット目は１階の上昇呼び信号を、〈１〉ビット目は２階の上昇呼び信号をそれぞれ示し、これより値の大きいビットが順次にその上の階の上昇呼び信号を示している。同様に、ホール呼び状態登録テーブルＤＣは２階の下降方向のホール呼び信号で、〈１〉ビット目は２階の下降呼び信号を、〈２〉ビット目は３階の下降呼び信号をそれぞれ示し、これより値の大きいビットが順次にその上階の下降呼び信号を示している。これらのホール呼び状態登録テーブルＵＣ，ＤＣの各ビットは、それぞれの呼びが登録されたときにその値が「０」から「１」になるもので、出力装置１４は値が「１」になったビットに対応する発光ダイオード２１や発光ダイオード２２に電流を流し、これによって上昇方向ホール呼び登録、下降方向ホール呼び登録、下降方向及び上昇方向の両方の呼び登録を、１つの多色表示灯２０によって３種類に色分けして表示する。
【００２６】
具体的には、２階において上昇方向の呼び登録のみがなされたとする。このときホール呼び状態登録テーブルＵＣの〈１〉ビット目の値が「１」となり、２階に対応して設けられた多色表示灯２０は発光ダイオード２１が発光して緑色に点灯する。また、２階において下降方向の呼び登録のみがなされたとする。このときホール呼び状態登録テーブルＤＣの〈１〉ビット目の値が「１」となり、２階に対応して設けられた多色表示灯２０は発光ダイオード２２が発光して黄色に点灯する。さらに、２階において下降方向及び上昇方向の両方の呼び登録がなされたとする。このときホール呼び状態登録テーブルＤＣの〈１〉ビット目の値が「１」となり、かつ、ホール呼び状態登録テーブルＤＣの〈１〉ビット目の値も「１」となる。これにより、２階に対応して設けられた多色表示灯２０は発光ダイオード２１及び２２の両方が発光して橙色に点灯する。
【００２７】
この結果、各階床に対応して設けられた１個の多色表示灯の発光色により、上昇方向のみに呼びが登録されているか、下降方向のみに呼びが登録されているか、上昇方向及び下降方向の両方の呼びが登録されているかを判別することができる。
【００２８】
かくして、本発明の実施例１によれば、表示灯の点灯色により上昇方向のホール呼び、及び下降方向のホール呼びの状態を判断することができるため、表示灯の個数を半減することができ、これによって建物の階床数が多くなったとしても、アナンシェータの大型化を抑制することができ、かつ、ホール呼びの状態を運転手が見易くすることができる。また、建物の階床数が多くなったとしても、アナンシェータのかご内操作盤への実装を容易化することができる。
【００２９】
なお、上記の実施例では、上昇方向のホール呼びに対して発光ダイオード２１を発光させて多色表示灯２０を緑色に点灯させ、下降方向のホール呼びに対して発光ダイオード２２を発光させて多色表示灯２０を黄色に点灯させ、さらに、上昇及び下降の両方向のホール呼びに対して発光ダイオード２１及び２２の両方を発光させて多色表示灯２０を橙色に点灯させたが、ホール呼びの種類とこれに応じて発光させる発光ダイオードの対応関係は、上述した以外の対応付けも可能であり、さらに、発光色が上述したと異なる発光ダイオードを用いても上述したと同様な効果が得られる。
【実施例２】
【００３０】
図５は本発明に係るエレベータの制御装置の実施例２を構成するかご内操作盤の外観図である。図中、図１４に示した従来装置のかご内操作盤１と同一の要素には同一の符号を付してその説明を省略する。図５に示したかご内操作盤１Ｂは、例えば、２０階床の建物に設置されたエレベータを対象としたもので、その上端部には、階床数よりも少ない、例えば、８個の表示灯１０を用いる上昇方向ホール呼び登録灯２Ｂと、８個の表示灯１０を用いる下降方向ホール呼び登録灯３Ｂとがそれぞれ横方向に並べて、上下２段に配置されている。また、盤面の中央部には、２０階分のかご呼びボタン６が縦方向に２列に配置されている。これ以外は図１４に示したかご内操作盤１と同一に構成されている。
【００３１】
図６はかご内操作盤１Ｂの制御部の構成を示す回路図であり、図中、従来の制御部を示す図１５と同一の要素には同一の符号を付してその説明を省略する。この実施例は、出力装置１４の８個の個別の端子に、上昇方向ホール呼び登録灯２Ｂを構成する、例えば、発光ダイオード１Ｕ，２Ｕ，３Ｕ，４Ｕ，…，８Ｕの各カソードが接続され、これらの発光ダイオードの各アノードが正極電源母線Ｐに共通に接続され、さらに、出力装置１４の他の８個の端子に下降方向ホール呼び登録灯３Ｂを構成する、例えば、発光ダイオード２Ｄ，３Ｄ，４Ｄ，５Ｄ，…，９Ｄの各カソードが接続され、これらの発光ダイオードの各アノードが正極電源母線Ｐに接続されている点が図１５と構成を異にし、これ以外は図１５と同一に構成されている。
【００３２】
上記のように構成された本実施例の動作について、特に、従来装置と構成を異にする部分について、図７をも参照して以下に説明する。中央演算装置１１は図７（ａ）及び（ｂ）に信号構成を示すように、記憶装置１２に記憶されたデータに基づいて、出力装置１４を構成するホール呼び状態登録テーブルＵＣ及びＤＣへの登録を行う。このとき、かごの位置が１５階であったとすると、上昇方向のホール呼び信号を示すホール呼び状態登録テーブルＵＣの〈３〉ビット目は１５階の上昇呼び信号を、〈２〉ビット目は１４階の上昇呼び信号を、〈０〉ビット目は１２階の上昇呼び信号をそれぞれ示し、〈３〉ビット目より値の大きいビットが順次にその上の階の上昇呼び信号を示している。従って、〈７〉ビット目は１９階の上昇呼び信号を示す。同様に、下降方向のホール呼び信号を示すホール呼び状態登録テーブルＤＣの〈３〉ビット目は１５階の下降呼び信号を、〈２〉ビット目は１４階の下降呼び信号を、〈０〉ビット目は１２階の下降呼び信号をそれぞれ示し、〈３〉ビット目より値の大きいビットが順次にその上の階の下降呼び信号を示している。従って、〈７〉ビット目は１９階の下降呼び信号を示す。
【００３３】
次に、かごの位置が１４階に移動すると、上昇方向のホール呼び信号を示すホール呼び状態登録テーブルＵＣの〈３〉ビット目は１４階の上昇呼び信号を示し、〈３〉ビット目より値の小さいビットが順次にその下の階の上昇呼び信号を示し、〈３〉ビット目より値の大きいビットが順次にその上の階の上昇呼び信号を示す。同様に、下降方向のホール呼び信号を示すホール呼び状態登録テーブルＤＣの〈３〉ビット目は１４階の下降呼び信号を示し、〈３〉ビット目より値の小さいビットが順次にその下の階の下降呼び信号を示し、〈３〉ビット目より値の大きいビットが順次にその上の階の下降呼び信号を示す。
【００３４】
これらのホール呼び状態登録テーブルＵＣ，ＤＣの各ビットは、それぞれの呼びが登録されたときにその値が「０」から「１」になるもので、出力装置１４は値が「１」になったビットに対応する発光ダイオード１Ｕ〜８Ｕや発光ダイオード２Ｄ〜９Ｄに電流を流し、これによって上昇方向ホール呼び登録と、下降方向ホール呼び登録とを互いに異なる表示灯で表示する。この場合、〈３〉ビット目をかご位置と同じ階のホール呼び信号にして、これより下の階の３階床分の上昇及び下降の各ホール呼び登録を表示すると共に、これより上の階の４階床分の上昇及び下降の各ホール呼び登録を表示する構成になっている。これによって、運転手は現在のかご位置に対する上下の複数階のホール呼びを認識することができ、これによって、かごの停止、通過に支障のない操作をすることができる。
【００３５】
かくして、本発明の実施例２によれば、限られた個数の表示灯でかご位置に合わせて必要な上昇及び下降方向の呼び登録状態を表すことが可能になるため、建物の階床数が多くなったとしても、アナンシェータの大型化を抑制することができ、かつ、ホール呼びの状態を運転手が見易くすることができる。また、建物の階床数が多くなったとしても、アナンシェータのかご内操作盤への実装を容易化することができる。
【００３６】
なお、図５〜図７を用いて説明した実施例２は２０階床の建物を対象として８個の表示灯１０をそれぞれ２段に配置して上昇方向ホール呼び登録灯２Ｂ及び下降方向ホール呼び登録灯３Ｂを構成したが、表示灯１０の配置数は建物の階床数と、運転手がその点灯状態を見て安全に停止操作をすることができる最小の数とすれば良く、これらのホール呼び登録灯に対して、かごが位置する階床のホール呼びを列状配置された中央部の表示灯１０に対応付けて点灯させると共に、かご位置を中央にした所定数の階床の各ホール呼びを順次他の多色表示灯２０に対応付けて点灯させるようにすることによって、上述したと同様な効果が得られる。
【実施例３】
【００３７】
図８は本発明に係るエレベータの制御装置の実施例３を構成するかご内操作盤の外観図である。図中、実施例２を示す図５と同一の要素には同一の符号を付してその説明を省略する。図５に示したかご内操作盤１Ｂは表示灯１０を用いてなる上昇方向ホール呼び登録灯２Ｂ及び下降方向ホール呼び登録灯３Ｂを備えていたが、ここに示したかご内操作盤１Ｃは図２及び図３を用いて説明した多色表示灯２０を用いてなるホール呼び登録灯２Ｃを備えている点が実施例２と構成を異にし、これ以外は制御部を含めて実施例２と全く同様に構成されている。
【００３８】
すなわち、ホール呼びが発生する階床よりも少なく、列状に配置されてそれぞれ表示色を３種類に変化させることのできる８個の多色表示灯２０を用い、かごが位置する階床のホール呼びを列状配置された中央部の多色表示灯２０に対応付けて点灯させると共に、かご位置を中央にした８個の階床の各ホール呼びを８個の多色表示灯２０に対応付けて点灯させ、かつ、上昇方向のホール呼び、下降方向のホール呼び、上昇方向及び下降方向両方のホール呼びにそれぞれ対応付けて多色表示灯２０の表示色を変えて点灯させるようにしたものである。
【００３９】
図９はかご内操作盤１Ｃの制御部の構成を示す回路図であり、図中、実施例２の制御部を示す図６と同一の要素には同一の符号を付してその説明を省略する。この実施例３は、出力装置１４の８個の個別の端子に、上昇方向ホール呼び登録を表示するための、緑色に点灯する発光ダイオード１ＵＴ，２ＵＴ，３ＵＴ，４ＵＴ，…，８ＵＴの各カソードが接続され、これらの発光ダイオードの各アノードが正極電源母線Ｐに共通に接続され、さらに、出力装置１４の他の８個の端子に下降方向ホール呼び登録を表示するための、発光ダイオード２ＤＴ，３ＤＴ，４ＤＴ，５ＤＴ，…，９ＤＴの各カソードが接続され、これらの発光ダイオードの各アノードが正極電源母線Ｐに接続されている点が図６と構成を異にし、これ以外は図６と同一に構成されている。
【００４０】
図１０（ａ）及び（ｂ）は、出力装置１４を構成するホール呼び状態登録テーブルＵＣ及びＤＣに登録される信号構成を示した図である。ここで、かごの位置が１５階であったとすると、上昇方向のホール呼び信号を示すホール呼び状態登録テーブルＵＣの〈３〉ビット目は１５階の上昇呼び信号を、〈２〉ビット目は１４階の上昇呼び信号を、〈０〉ビット目は１２階の上昇呼び信号をそれぞれ示し、〈３〉ビット目より値の大きいビットが順次にその上の階の上昇呼び信号を示している。従って、〈７〉ビット目は１９階の上昇呼び信号を示す。同様に、下降方向のホール呼び信号を示すホール呼び状態登録テーブルＤＣの〈３〉ビット目は１５階の下降呼び信号を、〈２〉ビット目は１４階の下降呼び信号を、〈０〉ビット目は１２階の下降呼び信号をそれぞれ示し、〈３〉ビット目より値の大きいビットが順次にその上の階の下降呼び信号を示している。従って、〈７〉ビット目は１９階の下降呼び信号を示す。
【００４１】
次に、かごの位置が１４階に移動すると、上昇方向のホール呼び信号を示すホール呼び状態登録テーブルＵＣの〈３〉ビット目は１４階の上昇呼び信号を示し、〈３〉ビット目より値の小さいビットが順次にその下の階の上昇呼び信号を示し、〈３〉ビット目より値の大きいビットが順次にその上の階の上昇呼び信号を示す。同様に、下降方向のホール呼び信号を示すホール呼び状態登録テーブルＤＣの〈３〉ビット目は１４階の下降呼び信号を示し、〈３〉ビット目より値の小さいビットが順次にその下の階の下降呼び信号を示し、〈３〉ビット目より値の大きいビットが順次にその上の階の下降呼び信号を示す。
【００４２】
これらのホール呼び状態登録テーブルＵＣ，ＤＣの各ビットは、それぞれの呼びが登録されたときにその値が「０」から「１」になるもので、出力装置１４は値が「１」になったビットに対応する発光ダイオード１ＵＴ〜８ＵＴや発光ダイオード２ＤＴ〜９ＤＴに電流を流し、これによって上昇方向ホール呼び登録と、下降方向ホール呼び登録と、上昇方向及び下降方向両方のホール呼び登録とを互いに異なる表示色で表示する。この場合、〈３〉ビット目をかご位置と同じ階のホール呼び信号にして、これより下の階の３階床分の上昇及び下降の各ホール呼び登録を表示すると共に、これより上の階の４階床分の上昇及び下降の各ホール呼び登録を表示する構成になっている。これによって、運転手は現在のかご位置に対する上下の複数階のホール呼びを認識することができ、これによって、かごの停止、通過に支障のない操作をすることができる。
【００４３】
かくして、本発明の実施例３によれば、限られた個数の表示灯でかご位置に合わせて必要な上昇及び下降方向の呼び登録状態を表すことが可能になるため、建物の階床数が多くなったとしても、アナンシェータの大型化を抑制することができ、かつ、ホール呼びの状態を運転手が見易くすることのできるエレベータの制御装置が提供される。特に、実施例３は実施例２の半分の表示灯で済むため、大型化の抑制効果が大きい。
【００４４】
なお、図８を用いて説明した実施例３は２０階床の建物を対象として８個の多色表示灯２０を配置してホール呼び登録灯３Ｃを構成したが、多色表示灯２０の配置数は建物の階床数と、運転手がその点灯状態を見て安全に停止操作をすることができる最小の数とすれば良い。
【実施例４】
【００４５】
図１１は本発明に係るエレベータの制御装置の実施例４を構成するかご内操作盤の外観図である。図中、従来装置を示す図１４と同一の要素には同一の符号を付してその説明を省略する。ここに示したかご内操作盤１Ｄは階床数が８階の建物を対象にしたもので、８個の表示灯１０を横一列に配置してなるホール呼び登録灯２Ｄを備えている。これ以外は図１４と全く同様に構成されている。
【００４６】
図１２はかご内操作盤１Ｄの制御部の構成を示す回路図であり、図中、従来装置を示す図１５と同一の符号を付したものはそれぞれ同一の要素を示している。これは出力装置１４の８個の個別の端子に、例えば、発光ダイオード１Ｕ，２Ｕ，３Ｕ，４Ｕ，…，８Ｕの各カソードが接続され、これらの発光ダイオードの各アノードが正極電源母線Ｐに共通に接続されて上昇方向及び下降方向に兼用のホール呼び登録灯２Ｃを構成している点が図１と異なり、これ以外は図１と同一に構成されている。
【００４７】
上記のように構成された実施例４の動作について、従来装置と構成を異にしている点を、図１３をも参照して以下に説明する。かごが上昇運転されているとき、中央演算装置１１は記憶装置１２に記憶されたデータに基づいて、図１１（ａ）に信号構成を示すように、出力装置１４を構成するホール呼び状態登録テーブルＵＣの書き込みを行う。ホール呼び状態登録テーブルＵＣの〈０〉ビット目は１階の上昇呼び信号を、〈１〉ビット目は２階の上昇呼び信号をそれぞれ示し、これより値の大きいビットが順次にその上の階の上昇呼び信号を示している。一方、かごが下降運転されているとき、中央演算装置１１は記憶装置１２に記憶されたデータに基づいて、図１１（ｂ）に信号構成を示すように、出力装置１４を構成するホール呼び状態登録テーブルＤＣの書き込みを行う。ホール呼び状態登録テーブルＵＣの〈１〉ビット目は２階の下降呼び信号を、〈２〉ビット目は３階の下降呼び信号をそれぞれ示し、これより値の大きいビットが順次にその上の階の下降呼び信号を示している。なお、これらのホール呼び状態登録テーブルＵＣ，ＤＣの各ビットは、それぞれの呼びが登録されるとその値が「０」から「１」になり、出力装置１４は値が「１」になったビットに対応する発光ダイオード１Ｕ，２Ｕ，３Ｕ，４Ｕ，…，８Ｕに電流を流し、これによってホール呼び登録灯２Ｃを点灯させる。
【００４８】
つまり、かごが上昇運転されている場合には、上昇方向のホール呼び信号が出力され、ホール呼び登録灯２Ｄには上昇方向のホール呼びの状態のみが表示される。反対に、かごが下降運転されている場合には、下降方向のホール呼び信号が登録され、ホール呼び登録灯２Ｄには下降方向のホール呼びの状態のみが表示される。
【００４９】
かくして、実施例４によれば、かごの運転方向に合わせて上昇方向又は下降方向の呼び登録状態を切換表示することが可能になるため、表示灯の個数を半減することができ、これによって、建物の階床数が多くなったとしても、アナンシェータの大型化を抑制することができ、かつ、ホール呼びの状態を運転手が見易くすることができる。また、建物の階床数が多くなったとしても、アナンシェータのかご内操作盤への実装を容易化することができる。
【００５０】
ところで、上述した各実施例はアナンシェータがかご内操作盤に実装されるものについて説明したが、本発明はこれに適用を限定されるものではなく、例えば、アナンシェータがかご内操作盤から離隔して設けられるエレベータの制御装置にも本発明を適用することができる。
【図面の簡単な説明】
【００５１】
【図１】本発明に係るエレベータの制御装置の実施例１を構成するかご内操作盤の外観図。
【図２】実施例１の多色表示灯の構成及びその制御系統を示す回路図。
【図３】実施例１のかご内操作盤の制御部の構成を示す回路図。
【図４】実施例１の動作を説明するために、出力装置のテーブルに登録される信号構成を示す図。
【図５】本発明に係るエレベータの制御装置の実施例２を構成するかご内操作盤の外観図。
【図６】実施例２のかご内操作盤の制御部の構成を示す回路図。
【図７】実施例２の動作を説明するために、出力装置のテーブルに登録される信号構成を示す図。
【図８】本発明に係るエレベータの制御装置の実施例３のかご内操作盤の制御部の構成を示す回路図。
【図９】実施例３のかご内操作盤の制御部の構成を示す回路図。
【図１０】実施例３の動作を説明するために、出力装置のテーブルに登録される信号構成を示す図。
【図１１】本発明に係るエレベータの制御装置の実施例４を構成するかご内操作盤の外観図。
【図１２】実施例４のかご内操作盤の制御部の構成を示す回路図。
【図１３】実施例４の動作を説明するために、出力装置のテーブルに登録される信号構成を示す図。
【図１４】従来のエレベータの制御装置のかご内操作盤の外観図。
【図１５】従来のエレベータの制御装置のかご内操作盤の制御部の構成を示す回路図。
【図１６】従来のエレベータの制御装置の動作を説明するために、出力装置に加える信号構成を示す図。
【符号の説明】
【００５２】
１，１Ａ，１Ｂ，１Ｄ  かご内操作盤
１Ｕ〜４Ｕ，２Ｄ〜５Ｄ，２１，２２  発光ダイオード
１ＵＴ〜４ＵＴ，２ＤＴ〜５ＤＴ  端子又は発光ダイオード
２，２Ｂ，  上昇方向ホール呼び登録灯
３，３Ｂ  下降方向ホール呼び登録灯
２Ａ，２Ｃ，２Ｄ  ホール呼び登録灯
４  戸閉ボタン
５  戸開ボタン
６  かご呼びボタン
７，８  運転切換スイッチ７
９ａ，９ｂ  方向切換スイッチ
１０  表示灯
１１  中央演算装置
１２  記憶装置
１３  入力装置
１４  出力装置
２０  多色表示灯
【図１】
2005162389.tif 000003
【図２】
2005162389.tif 000004
【図３】
2005162389.tif 000005
【図４】
2005162389.tif 000006
【図５】
2005162389.tif 000007
【図６】
2005162389.tif 000008
【図７】
2005162389.tif 000009
【図８】
2005162389.tif 000010
【図９】
2005162389.tif 000011
【図１０】
2005162389.tif 000012
【図１１】
2005162389.tif 000013
【図１２】
2005162389.tif 000014
【図１３】
2005162389.tif 000015
【図１４】
2005162389.tif 000016
【図１５】
2005162389.tif 000017
【図１６】
2005162389.tif 000018